(57)【特許請求の範囲】
【請求項１】
回動して開閉する扉であって、扉本体と床面の間に形成される隙間を狭めるか、又は隙間を閉塞する弾性を有する遮蔽部を有する遮蔽部材を設け、前記遮蔽部材は遮蔽部を扉本体の下部に固定する剛性を有する固定部を備えており、前記扉本体の下部には扉幅方向に離間した位置に固定具が固定されており、前記固定部には前記固定具と対応する位置に孔が設けられており、前記固定具はその端部に外側へ突出する張出部を備えた弾性を有する素材で構成されていて、前記固定具が前記孔を貫通される際に前記張出部が弾性変形されて復元されることで、前記孔に対して前記固定具が着脱可能に係合されるものであることを特徴とする扉。
【請求項２】
二つの遮蔽部材の各固定部が扉本体に固定されると共に、各遮蔽部材が互いに扉本体の厚さ方向に相対位置を変更可能であることを特徴とする請求項１に記載の扉。
【発明の詳細な説明】
【技術分野】
【０００１】
本発明は、回動して開閉するヒンジ式の扉に関するものである。
【背景技術】
【０００２】
ヒンジ式の扉は、回動動作を円滑にするために、扉本体と床面の間に隙間が設けられることが多い。扉本体と床面の間に隙間を設けると、扉の開閉動作を円滑に行うことができるが、この隙間に起因する問題も存在する。すなわち、隙間の大きさはその都度任意に設定されるが、例えば幼児は床に手を付く動作をすることが多く、誤って手を扉本体と床面の間に挟む恐れがある。
【０００３】
そこで本件出願人は、このような事態を招かないように隙間を閉じることができる特許文献１に開示されているような発明をした。特許文献１には、隙間を封止手段で封止する構成が開示されている。
【先行技術文献】
【特許文献】
【０００４】
【特許文献１】特開２００７−２０４９４５号公報
【発明の概要】
【発明が解決しようとする課題】
【０００５】
ところで、特許文献１に開示されている構成では、封止手段を扉本体に着脱するのに手間が掛かる。すなわち、例えば封止手段を扉本体にねじ止めすると、ねじを外さなければ封止手段を扉本体から取り外すことができず、また、接着すると扉本体又は封止手段の損傷を覚悟の上で扉本体から封止手段を取り外さなければならない。
【０００６】
一方、室内のカーペットを取り替えたり、改装等によって扉と床面の間の隙間の大きさが変化すると、封止手段もその都度対応する大きさのものを採用する必要がある。ところが、特許文献１に開示されている構成では、封止手段を交換するのは容易ではない。
【０００７】
そこで本発明は、隙間を狭めたり閉塞する遮蔽部材を、容易に扉本体に対して脱着することができる扉を提供することを課題としている。
【課題を解決するための手段】
【０００８】
上記課題を解決するための請求項１の発明は、回動して開閉する扉であって、扉本体と床面の間に形成される隙間を狭めるか、又は隙間を閉塞する弾性を有する遮蔽部を有する遮蔽部材を設け、前記遮蔽部材は遮蔽部を扉本体の下部に固定する剛性を有する固定部を備えており、前記扉本体の下部には扉幅方向に離間した位置に固定具が固定されており、前記固定部には前記固定具と対応する位置に孔が設けられており、前記固定具はその端部に外側へ突出する張出部を備えた弾性を有する素材で構成されていて、前記固定具が前記孔を貫通される際に前記張出部が弾性変形されて復元されることで、前記孔に対して前記固定具が着脱可能に係合されるものであることを特徴とする扉である。
【０００９】
請求項１の発明では、遮蔽部を扉本体の下部に固定する剛性を有する固定部が設けてあり、この固定部を扉本体とワンタッチで着脱可能な着脱手段を設けたので、遮蔽部材を扉本体に容易に着脱することができる。すなわち、扉の周辺の環境が変化し、扉本体と床面の間の隙間の大きさが変化しても、装着済みの遮蔽部材を扉本体から容易に取り外し、さらに、新しい環境に応じた別の遮蔽部材を扉本体に容易に装着することができる。
【００１０】
請求項２の発明は、二つの遮蔽部材の各固定部が扉本体に固定されると共に、各遮蔽部材が互いに扉本体の厚さ方向に相対位置を変更可能であることを特徴とする請求項１に記載の扉である。
【００１１】
請求項２の発明では、二つの遮蔽部材の各固定部が扉本体に固定されると共に、各遮蔽部材が互いに扉本体の厚さ方向に相対位置を変更可能であるので、単一の規格の遮蔽部材を、異なる厚さの扉に対して装着することができる。すなわち、請求項２の発明を実施すると、二つの遮蔽部材の相対位置を変更するだけで扉の厚さに対応することができるようになる。その結果、異なる厚さの扉の両側面に対して面一になるように、同一の遮蔽部材を設置することができる。よって、遮蔽部材の汎用性が高まる。
【発明の効果】
【００１２】
本発明の扉は、扉本体と床面の間に形成される隙間を狭めたり閉塞する遮蔽部材を、扉本体に容易に装着することができると共に、遮蔽部材を容易に扉本体から取り外すことができる。そのため、扉の周囲の環境が変化した場合に、装着している遮蔽部材を、新しい環境に適合する別の遮蔽部材と容易に交換することができる。また、遮蔽部材の遮蔽部は弾性を有するので、万が一、遮蔽部材と床面の間に手や足を挟んでも、怪我をすることがなく、安全である。
【図面の簡単な説明】
【００１３】
【図１】本発明の扉の下部の斜視図であり、（ａ）は扉本体に固定具を取り付ける直前の状態の斜視図であり、（ｂ）は扉本体に固定具を嵌合させた上にボルトで固定した状態を示す斜視図であり、（ｃ）は（ｂ）の状態から遮蔽部材を扉本体に装着した状態を示す組立斜視図である。
【図２】遮蔽部材を扉本体に装着する手順を示す扉下部の断面図であり、（ａ）は扉本体に突出部材を取り付ける直前の状態を示しており、（ｂ）は（ａ）の状態から突出部材を扉本体に挿入して嵌合させた状態を示しており、（ｃ）は突出部材を扉本体に固定した状態を示しており、（ｄ）は扉本体に遮蔽部材を装着した状態を示している。
【図３】二つの分割片を組み合わせて遮蔽部材を構成する場合における扉下部の断面図であり、（ａ）は遮蔽部材を扉に装着する直前の状態を示しており、（ｂ）は扉に遮蔽部材の一方の分割片のみを装着した状態を示しており、（ｃ）は（ｂ）の状態からさらに他方の分割片を装着した状態を示しており、（ｄ）は（ａ）〜（ｃ）とは異なる厚さの扉に、同じ遮蔽部材を装着した状態を示している。
【発明を実施するための形態】
【００１４】
以下、図面を参照しながら説明する。
【００１５】
図１に示すように、扉１は、扉本体２と遮蔽部材３と固定具４とで構成されている。扉本体２の下部に遮蔽部材３が装着される。扉１は、図示しない開口（出入り口）にヒンジで取り付けられており、回動して開口（出入り口）を開閉する。また扉１は、扉本体２の下部と床面１０（図２（ｄ））の間に隙間が形成されるように開口（出入り口）に取り付けられている。
【００１６】
扉本体２の下部には、矢印Ａで示す幅方向に離間した位置の二箇所に段付き穴６が設けられている。段付き穴６は、大径部６ａと小径部６ｂとを有しており、大径部６ａと小径部６ｂの間には段６ｃが形成されている。小径部６ｂはねじ穴である。
【００１７】
この段付き穴６に固定具４が固定される。固定具４は、円筒状の本体部４ａの端部に、半径方向外側に突出する張出部４ｂを備えた弾性を有する素材で構成されている。円筒状の固定具４には貫通孔４ｃが設けられている。貫通孔４ｃにおける、張出部４ｂを設けた側には段７が形成されている。
【００１８】
固定具４の本体部４ａは、扉本体２の段付き穴６の大径部６ａに嵌合可能である。また、固定具４を段付き穴６に嵌合させた際、固定具４の貫通孔４ｃと、段付き穴６の小径部６ｂとが連続する。さらに、固定具４の本体部４ａを段付き穴６に嵌合させると、固定部４の本体部４ａの端部が段付き穴６の段６ｃに当接する。
【００１９】
さらに固定具４の貫通孔４ｃにボルト５を挿通する。ボルト５の先端は、固定具４の貫通孔４ｃを貫通し、さらに扉本体２の段付き穴６の小径部６ｂに達する。そして、ボルト５をねじ込むと、ボルト５は段付き穴６の小径部６ｂと螺合し、やがてボルト５の頭部５ａが固定具４の貫通孔４ｃの段７に当接する。その結果、図２（ｃ）に示すように固定具４は、扉本体２の下部に固定される。
【００２０】
次に、遮蔽部材３について説明する。
【００２１】
遮蔽部材３は、断面がＨ字形状又はコの字形状を呈している。遮蔽部材３の断面形状を、図１ではＨ字形状とし、図２ではコ字形状としているが、Ｈ字形状とコ字形状とで扉本体２に対する固定方法に実質的な差異はない。
【００２２】
Ｈ字形状又はコ字形状のウェブ部３ａは、剛性を有する素材で構成されている。ウェブ部３ａの二箇所に孔８が設けられている。孔８の間隔は、扉本体２の段付き穴６の間隔と一致するように設定されている。また、遮蔽部材３のＨ字形状又はコ字形状のフランジ部３ｂ，３ｃは、軟質樹脂や合成ゴム等の弾性を有する素材で構成されている。すなわち遮蔽部材３は、２つのフランジ部３ｂ，３ｃとウェブ部３ａとが接着等で一体固着されて構成されている。
【００２３】
次に、扉本体２と遮蔽部材３の着脱の仕方について説明する。
【００２４】
図２（ａ）及び図２（ｂ）に示すように、予め扉本体２に２つの固定具４を固定しておく。すなわち、扉本体２の下面に形成された２つの段付き穴６に、予め固定具４を嵌合させ、さらにボルト５で固定しておく。
【００２５】
そして、図２（ｃ）に示すように遮蔽部材３のウェブ部３ａが水平位置になる姿勢で扉本体２の下面に対向させ、さらに扉本体２に固定した固定具４と遮蔽部材３の２つの孔８とを位置合わせする。さらに固定具４の張出部４ｂを弾性変形させながら、固定具４をウェブ部３ａの孔８に貫通させる。その結果、図２（ｄ）に示すように固定具４の張出部４ｂは、孔８を貫通して元の形状に戻り、孔８から外れなくなる。よって、遮蔽部材３は、ワンタッチで扉本体２の下部に装着される。張出部４ｂは、内側のボルト５と外側のウェブ部３ａとで挟まれており、遮蔽部材３に対して下方への意図した外力が作用しない限り、張出部４ｂはウェブ部３ａから外れない。
【００２６】
逆に、遮蔽部材３を扉本体２から外す際には、固定具４の張出部４ｂが変形して孔８内に入るように遮蔽部材３を下方へ引っ張る。その結果、固定具４の張出部４ｂは遮蔽部材３の孔８を通過し、やがて外れる。よって、ワンタッチで遮蔽部材３を扉本体２から取り外すことができる。
【００２７】
以上説明したように、遮蔽部材３の孔８に対して扉本体２側の固定具４が係合することによって遮蔽部材３が扉本体２に対してワンタッチで装着される。さらに、遮蔽部材３の孔８に対する扉本体２側の固定具４の係合を解除すると、扉本体２から遮蔽部材３をワンタッチで取り外すことができる。
【００２８】
扉本体２に装着された遮蔽部材３は、扉本体２と床面１０の間に形成される隙間の大きさを狭めるか又は隙間を完全に閉塞する。その結果、扉１を介して空気の出入りが制限されると共に、床面１０に子供が手をついていても、遮蔽部材３のフランジ部３ｃは弾性を有する素材で構成されているので、怪我をする恐れはない。
【００２９】
次に、図３を参照しながら遮蔽部材の変形例を説明する。
【００３０】
扉本体２と固定部材４の構成は図２のものと同じである。
【００３１】
図３（ａ）に示すように、遮蔽部材１３は、２つの分割片１１，１２を組み合わせて構成される。分割片１１，１２の断面は、各々略Ｌ字形状を呈している。分割片１１は、剛性を有する素材で構成された固定部１５と、柔軟性を有する遮蔽部１７とが直交するように接続されている。固定部１５には図３（ａ）の紙面と直交する方向の二箇所に長孔１１ａが設けてある。また、固定部１５の上面には段１９が形成されている。
【００３２】
一方、分割片１２は、剛性を有する素材で構成された固定部１４と、柔軟性を有する遮蔽部１６とが直交するように接続されている。固定部１４には、固定部１５と同様の長孔１２ａが設けられている。また、固定部１４の下面には段１８が形成されている。
【００３３】
まず、図３（ｂ）に示すように分割片１２を扉本体２の下部に装着する。すなわち、分割片１２の長孔１２ａを固定具４に係合させる。分割片１２は、長孔１２ａに沿って固定具４（扉本体２）に対して移動可能である。
【００３４】
次に、図３（ｃ）に示すように分割片１１を扉本体２の下部に装着する。すなわち、分割片１１の長孔１１ａを固定具４に係合させる。分割片１１は、長孔１１ａに沿って固定具４（扉本体２）に対して移動可能である。
【００３５】
さらに図３（ｃ）に示すように、分割片１１の遮蔽部１７と分割片１２の遮蔽部１６が扉本体２と面一となるように分割片１１及び分割片１２を位置合わせする。ここで、ボルト５のねじ込み量を増加させることによって、固定具４の張出部４ｂと扉本体２の下面とで分割片１１及び１２を挟持し、扉本体２に対する分割片１１及び１２の位置を固定することもできる。
【００３６】
遮蔽部材１３は、扉本体２と異なる厚さを有する扉本体２０に対しても装着可能である。すなわち分割片１１，１２は、長孔１１ａ，１２ａの範囲で固定具４に対して移動可能であるので、図３（ｄ）に示すように分割片１１及び１２を扉本体２０と面一となるように図３（ｄ）で見て左右方向（扉本体２０の厚さ方向）に移動させることができる。
【００３７】
このように、遮蔽部材１３として断面が略Ｌ字形の２つの分割片１１，１２を２つ重ねる構造を採用すると、扉本体の異なる厚さに柔軟に対応することができるようになる。
【符号の説明】
【００３８】
１    扉
２    扉本体
３    遮蔽部材
３ａ  ウェブ部
３ｂ  フランジ部
４    固定具（着脱手段）
５    固定具を扉本体に固定するボルト
６    扉本体の下部に設けた段付き穴
７    固定具の貫通穴の段
８，９  遮蔽部材のウェブ部に設けた孔（着脱手段）
１０  床面
【図１】
0005750568.tif 000002
【図２】
0005750568.tif 000003
【図３】
0005750568.tif 000004